(57)【特許請求の範囲】
【請求項１】
車幅方向両側に配置され、車両前後方向に沿って延在するサイドシルと、
フロアパネルの下面に接合され、前記サイドシルよりも上側でかつ車幅方向内側に車両前後方向に沿って延在するサイドメンバと、
前記サイドメンバの下部とサイドシルの上側とを連結する第１連結部材と、
前記サイドメンバの下部とサイドシルの下側とを連結する第２連結部材と、
を備えたことを特徴とする車体の下部構造。
【請求項２】
請求項１に記載の車体の下部構造であって、
前記サイドメンバの下側に配置されると共にバッテリを支持するバッテリ支持部材と、
前記バッテリ支持部材の外周部分の車幅方向外側と前記サイドメンバとを連結する第３連結部材と、を更に備えたことを特徴とする車体の下部構造。
【請求項３】
請求項２に記載の車体の下部構造であって、
前記バッテリ支持部材の外周部分は、内部が中空状の閉断面構造に形成された筒状体であることを特徴とする車体の下部構造。
【発明の詳細な説明】
【技術分野】
【０００１】
本発明は、フロアの下部にバッテリを搭載した車体の下部構造に関する。
【背景技術】
【０００２】
電気自動車などの電動車両には、通常、モータの動力源となるバッテリが搭載されている（例えば、日本国  特開平５−３０５８７９号公報を参照）。この日本国  特開平５−３０５８７９号公報に記載された電気自動車においては、車体の左右両側に配置したサイドシル、リアピラー、リアサイドメンバ同士を車幅方向に沿って延在する４本のクロスメンバを介して連結し、これらのクロスメンバの間に前記バッテリを収容配置している。【０００３】
また、後方上側に配置されたクロスメンバの車幅方向端部と、リアピラー下端部とサイドシルとの交差部と、を略直線状に延びる伝達リンクを介して連結している。この伝達リンクは、車両前方に向かうにつれて車幅方向外側かつ下方に向けて延びている。【０００４】
従って、車両に前方から後方に向けて荷重が入力された場合に、前記クロスメンバが前方に移動するのを前記伝達リンクによって支持することにより、バッテリを保護することができる。
【発明の概要】
【０００５】
しかしながら、かかる従来の車体構造では、車両に対して側方から荷重が入力された場合には、バッテリを確実に保護するために、前記伝達リンクの板厚を上げる必要があり、車体重量の増大を招くおそれがあった。
【０００６】
そこで、本発明は、車体に側方から荷重が入力した場合に、車体重量の増大を抑制しつつバッテリを確実にかつ効率良く保護することができる車体の下部構造を提供するものである。
【０００７】
本発明に係る車体の下部構造にあっては、車幅方向両側に配置され、車両前後方向に沿って延在するサイドシルと、フロアパネルの下面に接合され、前記サイドシルよりも上側でかつ車幅方向内側に車両前後方向に沿って延在するサイドメンバと、前記サイドメンバの下部とサイドシルの上側とを連結する第１連結部材と、前記サイドメンバの下部とサイドシルの下側とを連結する第２連結部材と、を備えたことを最も主要な特徴とする。
【０００８】
本発明によれば、車両側方からサイドシルに荷重が入力された場合に、サイドメンバは高さ位置が略一定のまま回転するため、車体重量の増大を抑制しつつバッテリを確実にかつ効率良く保護することができる。
【図面の簡単な説明】
【０００９】
【図１】図１は、本発明の実施形態にかかる車体の下部構造を車幅方向に沿って切断した状態を車両前方から見た横断面図である。
【図２】図２は、図１のＡ−Ａ線による断面図である。
【図３】図３は、車体の下部構造の横断面図であり、（ａ）は側方からの荷重入力前の通常状態を示す図１に対応した断面図であり、（ｂ）はサイドシルに側方から荷重が入力された初期段階を示し、（ｃ）はサイドシルに側方から荷重が入力された最終段階を示す。
【発明を実施するための形態】
【００１０】
以下、本発明の実施形態について図面を参照しつつ詳細に説明する。
【００１１】
図１〜図３は、本発明の実施形態にかかる車体の下部構造の一実施形態を示している。なお、本実施形態においては、いわゆる高床式フロアが設けられた電気自動車を例にとって説明するが、電気自動車以外にも、いわゆるハイブリッド車等にも適用可能である。
【００１２】
図１に示すように、車体のフロアパネル１は、車両前後方向および車幅方向に沿って略水平状に延設されている。車両の車幅方向両側には、車両前後方向に沿って延びる左右一対のサイドシル３，３が配設されている。このサイドシル３は、断面ハット状のシルアウタ５とシルインナ７とから構成されている。具体的には、シルアウタ５とシルインナ７の上側フランジ同士９，９を互いに接合すると共に、シルアウタ５とシルインナ７の下側フランジ同士１１，１１を互いに接合することによって、矩形状の閉断面構造に形成している。
【００１３】
また、サイドシル５よりも車幅方向内側でかつ上側には、断面ハット状のサイドメンバ１３がフロアパネル１の下部に車両前後方向に沿って延在している。即ち、サイドメンバ１３は、下側に配置された底面１５と、該底面１５の左右両端から屈曲して上方に延びる側面１７，１７と、該側面１７の上端から車幅方向に屈曲して延びる上端フランジ１９とから一体形成されている。前記上端フランジ１９がフロアパネル１の下面１ｂに接合されることによって、サイドメンバ１３は閉断面構造に構成されている。
【００１４】
さらに、サイドメンバ１３の下方には、上面２１、側面２３，２４および底面２５からなる断面矩形状の閉断面構造のバッテリフレーム２７が車両前後方向に沿って延設されている。ここで、バッテリ支持部材２６は、前記バッテリフレーム２７と、バッテリ２９を支持すると共に車幅方向端部３１ａがバッテリフレーム２７の底面２５に接合されたバッテリトレイ３１と、前記バッテリ２９を上側から覆うように配設され、車幅方向端部３３ａがバッテリフレーム２７の上面２１に接合されたバッテリカバー３３とから構成されている。このように、バッテリ支持部材２６は、サイドメンバ１３の下側に配置されると共にバッテリ２９を支持している。そして、前記バッテリフレーム２７は、バッテリ支持部材２６の外周部分に相当し、内部が中空状の閉断面構造に形成された筒状体である。
【００１５】
前記サイドシル３を構成するシルインナ７の下端面３５（下側）の車幅方向内側端部と前記サイドメンバ１３の底面１５（下部）の車幅方向外側端部とは、第２連結部材である外側クロスメンバ３７によって連結されている。このように、第２連結部材である外側クロスメンバ３７は、サイドメンバ１３の下部とサイドシル３の下側とを連結している。また、該外側クロスメンバ３７の内方（上側）には、第１連結部材であるブレースメンバ３９が配設されている。該ブレースメンバ３９は、外側端部３９ａがフロアパネル１の接合端部１ａとシルインナ７の上端面４１とによって挟持され、内側端部３９ｂは、サイドメンバ１３の底面１５と外側クロスメンバ３７の内側端部３７ａによって挟持されている。このように、第１連結部材であるブレースメンバ３９は、サイドメンバ１３の下部とサイドシル３の上側とを連結している。
【００１６】
また、バッテリフレーム２７の車幅方向外側の側面２３（車幅方向外側）とサイドメンバ１３とは、第３連結部材である連結ブラケット４３を介して上下方向に沿って連結されている。具体的には、連結ブラケット４３の上端には、車幅方向に延びる上端フランジ４３ａが形成され、下端には下端フランジ４３ｂが形成されている。上端フランジ４３ａは外側クロスメンバ３７の内側端部３７ａの下面に接合され、下端フランジ４３ｂはバッテリフレーム２５の車幅方向外側の側面２３に接合されている。なお、前記外側クロスメンバ３７の外側端部３７ｂは、サイドシル３の下端面３５に接合されている。また、バッテリカバー３３の上方には、内側クロスメンバ４５が配設されており、車幅方向外側の端部４５ａが下方に屈曲し、サイドメンバ１３の側面に接合されている。
【００１７】
図２に示すように、フロアパネル１の下部には、車幅方向に沿って延びる内側クロスメンバ４５，４５が前側と後側とに一対に配設されている。該内側クロスメンバ４５は、断面ハット状に形成されており、底面４７と、該底面４７の両端から上方に屈曲して延びる側面４９，４９と、該側面４９の上端から前後方向に屈曲して延びる上端フランジ５１とから一体形成されている。なお、図１は、前側に配置された内側クロスメンバ４５における断面図である。
【００１８】
また、内側クロスメンバ４５，４５の下部には、図１で説明したバッテリ２９，２９が前後に配置されており、これらのバッテリ２９，２９の間に別の大型バッテリ５３が搭載されている。大型バッテリ５３の高さは、バッテリ２９よりも大きいため、バッテリカバー３３は前後方向中央部５５が上方に突出した形状に形成されている。
【００１９】
次いで、本実施形態に係る車体の下部に側方から荷重が入力された場合の変形状態を説明する。
【００２０】
図３（ａ）に示す通常状態の車体下部のサイドシル３に対して車幅方向外側から内側に向けて荷重が入力されると、サイドシル３からブレースメンバ３９および外側クロスメンバ３７を介してサイドメンバ１３の底面１５に荷重が伝達される。また、フロアパネル１の接合端部１ａは、ブレースメンバ３９を介してシルインナ７の上端面４１に接合されているため、フロアパネル１を介してサイドメンバ１３の上端フランジ１９にも荷重が伝達される。ここで、サイドシル３の上側からフロアパネル１を介してサイドメンバ１３の上部に伝達される荷重よりも、サイドシル３の下側からブレースメンバ３９および外側クロスメンバ３７を介してサイドメンバ１３の下部に伝達される荷重の方が大きくなる。
【００２１】
従って、図３（ｂ）（ｃ）に示すように、サイドメンバ１３が車両前方から見て時計回り方向（即ち、サイドメンバ１３の上部が車幅方向外側で、下部が車幅方向内側に向かう方向）に回転する。この回転に伴って、フロアパネル１および内側クロスメンバ４５が変形する。ここで、連結ブラケット４３は、上端フランジ４３ａが外側クロスメンバ３７およびブレースメンバ３９を介してサイドメンバ１３の底面１５に接合されると共に、下端フランジ４３ｂがバッテリフレーム２７の側面２３に接合されている。従って、前記下端フランジ４３ｂがバッテリフレーム２７の上面２１に接合されている場合に比較して、サイドメンバ１３の上方移動が抑制される。つまり、サイドメンバ１３は、高さ位置が略一定のまま回転するため、バッテリフレーム２７も上方移動が抑制され、バッテリトレイ３１の変形も抑制される。
【００２２】
以下に、本実施形態による作用効果を説明する。
【００２３】
（１）本実施形態に係る車体の下部構造は、車幅方向両側に配置され、車両前後方向に沿って延在するサイドシル３と、フロアパネル１の下面１ｂに接合され、前記サイドシル３よりも上側でかつ車幅方向内側に車両前後方向に沿って延在するサイドメンバ１３と、前記サイドメンバ１３の下部とサイドシル３の上側とを連結するブレースメンバ３９（第１連結部材）と、前記サイドメンバ１３の下部とサイドシル３の下側とを連結する外側クロスメンバ３７（第２連結部材）と、を備えている。
【００２４】
従って、車両側方からサイドシル３に荷重が入力された場合に、サイドシル３からブレースメンバ３９および外側クロスメンバ３７を介してサイドメンバ１３の底面１５に荷重が伝達される。一方、フロアパネル１を介してサイドメンバ１３の上端フランジ１９にも荷重が伝達される。ここで、サイドシル３の上側からフロアパネル１を介してサイドメンバ１３の上部に伝達される荷重よりも、サイドシル３の下側からブレースメンバ３９および外側クロスメンバ３７を介してサイドメンバ１３の下部に伝達される荷重の方が大きくなる。すると、サイドメンバ１３が車両前方から見て時計回り方向（即ち、サイドメンバ１３の上部が車幅方向外側で、下部が車幅方向内側に向かう方向）に回転する。このように、サイドメンバ１３は、高さ位置が略一定のまま回転するため、バッテリフレーム２７も上方移動が抑制され、バッテリトレイ３１の変形も抑制される結果、バッテリ２９がサイドメンバ１３に接触することが防止される。これにより、車体重量の増大を抑制しつつ側方から荷重が入力した場合にバッテリ２９を確実にかつ効率良く保護することができる。
【００２５】
（２）本実施形態に係る車体の下部構造は、前記サイドメンバ１３の下側に配置されると共にバッテリ２９を支持するバッテリ支持部材２６と、前記バッテリ支持部材２６のバッテリフレーム２７（外周部分）の車幅方向外側と前記サイドメンバ１３とを連結する連結ブラケット４３（第３連結部材）と、を更に備えている。
【００２６】
従って、連結ブラケット４３の下端フランジ４３ｂがバッテリフレーム２７の上面２１に接合されている場合に比較して、車両側方からサイドシル３に荷重が入力された場合に、サイドメンバ１３の上方移動が抑制される。つまり、サイドメンバ１３は、高さ位置が略一定のまま回転するため、バッテリフレーム２７も上方移動が抑制され、バッテリトレイ３１の変形も抑制される。
【００２７】
（３）また、前記バッテリフレーム２７は、内部が中空状の閉断面構造に形成された筒状体である。
【００２８】
図３（ｃ）に示すように、車両側方から荷重が入力された場合にバッテリフレーム２７は、車幅方向外側の側面２３が、車幅方向内側の側面２４に対して相対的に上方移動して、断面略平行四辺形の形状に変形する。ここで、バッテリフレーム２７は、内部が中空状の閉断面構造に形成された筒状体であるため、断面略平行四辺形への変形が効率的に阻害されることがない。
【００２９】
なお、本発明の車体の下部構造は、本発明の要旨を逸脱しない範囲で各種変更が可能である。たとえば電気自動車に限ることなくバッテリを搭載して稼働する車両であれば本発明を適用することができる。
【産業上の利用の可能性】
【００３０】
本発明に係る車体の下部構造によれば、車両側方からサイドシルに荷重が入力された場合に、サイドメンバは高さ位置が略一定のまま回転するため、車体重量の増大を抑制しつつバッテリを確実にかつ効率良く保護することができる。
【図１】
0005435136.tif 000002
【図２】
0005435136.tif 000003
【図３】
0005435136.tif 000004